(57)【要約】【課題】  ＦＦＣと原稿台との接触を防止するとともにＦＦＣが伝送する信号のＥＭＣを改善し、さらに原稿の読み取り精度を向上させる画像入出力装置を提供する。【解決手段】  走査回路を搭載しスキャナハウジングの内部を原稿台の盤面と平行に往復移動するキャリッジと、前記スキャナハウジングの底部に、前記キャリッジの移動方向に延びプリンタハウジングの残余空間に収まるように形成された溝部と、前記溝部に少なくとも一部が収容され前記キャリッジの移動方向に角部が延びるように折れ曲がった主部を有し、前記スキャナハウジングに固定され電気的に接地された板金部材と、基端部が処理部に電気的に接続され先端部が前記走査回路に電気的に接続され、前記基端部側が前記溝部に収まり前記主部に接し前記先端部側が前記基端部側に折り返されている折り返し部を有するフレキシブルフラットケーブルと、を備えることを特徴とする画像入出力装置。【選択図】  図１
2005057628.tif 000002
【特許請求の範囲】
【請求項１】
画像データを印刷する印刷部と、
前記印刷部を収容しているプリンタハウジングと、
前記プリンタハウジングの上方に設けられ原稿台を支持しているスキャナハウジングと、
リニアイメージセンサを有する走査回路と、
前記走査回路を搭載し前記スキャナハウジングの内部を前記原稿台の盤面と平行に往復移動するキャリッジと、
前記走査回路の出力信号を処理して画像データを出力する処理部と、
前記スキャナハウジングの底部に、前記キャリッジの移動方向に延び前記プリンタハウジングの残余空間に収まるように形成された溝部と、
前記溝部に少なくとも一部が収容され前記キャリッジの移動方向に角部が延びるように折れ曲がった主部を有し、前記スキャナハウジングに固定され電気的に接地された板金部材と、
基端部が前記処理部に電気的に接続され先端部が前記走査回路に電気的に接続され、前記基端部側が前記溝部に収まり前記主部に接し前記先端部側が前記基端部側に折り返されている折り返し部を有するフレキシブルフラットケーブルと、
を備えることを特徴とする画像入出力装置。
【発明の詳細な説明】
【技術分野】
【０００１】
本発明は、画像の読み取りと印刷が可能な画像入出力装置に関する。
【背景技術】
【０００２】
従来、イメージセンサを搭載したキャリッジを収容したハウジング（スキャナハウジングというものとする。）と、インクジェット方式のプリンタヘッド等の印刷部を収容したハウジング（プリンタハウジングというものとする。）とを所謂２階建て構造に一体化した画像入出力装置が知られている。スキャナハウジングは、原稿が載置される原稿台を支持するため、プリンタハウジングの上方に設けられる。また、スキャナハウジング内をイメージセンサを搭載して往復移動するキャリッジに搭載される回路とキャリッジの外部に設けられた回路とはフレキシブルフラットケーブル（ＦＦＣ）で電気的に接続されている。
【０００３】
スキャナハウジングを薄形化すると、スキャナハウジングの底部と原稿台との間隔が狭まるため、ＦＦＣが原稿台に接触しやすくなる。ＦＦＣが原稿台に接触すると、原稿台の裏面に汚れが付着したり、摩擦によって原稿台に傷が付いたりする。従来、ＦＦＣと原稿台の摩擦を防止するハウジングを備えたイメージスキャナが知られている（例えば、特許文献１参照）。
【０００４】
また、スキャナハウジングを薄形化すると、スキャナハウジングの剛性が低下することにより読み取り精度が低下する。
また、イメージスキャナの解像度が向上するにつれてＦＦＣが伝送する信号の周波数が高くなっているため、ＦＦＣが伝送する信号のＥＭＣ（electromagnetic compatibility）が問題になっている。
【０００５】
【特許文献１】特開平５−２１９３１５号公報（第１図）
【発明の開示】
【発明が解決しようとする課題】
【０００６】
本発明は、ＦＦＣと原稿台との接触を防止するとともにＦＦＣが伝送する信号のＥＭＣを改善し、さらに原稿の読み取り精度を向上させる画像入出力装置を提供することを目的とする。
【課題を解決するための手段】
【０００７】
上記目的を達成するため、本発明に係る画像入出力装置は、画像データを印刷する印刷部と、前記印刷部を収容しているプリンタハウジングと、前記プリンタハウジングの上方に設けられ原稿台を支持しているスキャナハウジングと、リニアイメージセンサを有する走査回路と、前記走査回路を搭載し前記スキャナハウジングの内部を前記原稿台の盤面と平行に往復移動するキャリッジと、前記走査回路の出力信号を処理して画像データを出力する処理部と、前記スキャナハウジングの底部に、前記キャリッジの移動方向に延び前記プリンタハウジングの残余空間に収まるように形成された溝部と、前記溝部に少なくとも一部が収容され前記キャリッジの移動方向に角部が延びるように折れ曲がった主部を有し、前記スキャナハウジングに固定され電気的に接地された板金部材と、基端部が前記処理部に電気的に接続され先端部が前記走査回路に電気的に接続され、前記基端部側が前記溝部に収まり前記主部に接し前記先端部側が前記基端部側に折り返されている折り返し部を有するフレキシブルフラットケーブルと、を備えることを特徴とする。スキャナハウジングの底部に溝部を形成し、その溝部にＦＦＣの折り返し部を収めることにより、ＦＦＣと原稿台との接触を防止することができる。溝部をスキャナハウジングの残余空間に収まるように形成することにより、画像入出力装置の高さを抑制することができる。また、キャリッジの移動方向に角部が延びるように折れ曲がった主部を有する板金部材を溝部に収め、その板金部材をスキャナハウジングに固定することにより、スキャナハウジングの剛性を高めて読み取り精度を向上させることができる。折れ曲がった主部を溝部に収めることにより、板金部材を設けることによる画像入出力装置の高さの増大を抑制できる。さらに、電気的に接地した板金部材とＦＦＣを接触させることにより、ＦＦＣが伝送する信号のＥＭＣを改善することができる。
【発明を実施するための最良の形態】
【０００８】
以下、実施例に基づいて本発明の実施の形態を説明する。
図１は、本発明の一実施例の画像入出力装置３０の内部構造を示す模式図である。
スキャナハウジング３６は、上部が開口した箱形に形成され、図示しないヒンジによって揺動可能にプリンタハウジング５２に連結されている。スキャナハウジング３６の底部には溝部５４がＬ字形に形成されている。溝部５４については後述する。
【０００９】
原稿台３２は、スキャナハウジング３６の上部に形成された開口部を閉塞している透明なガラス板であって、スキャナハウジング３６に固定されている。原稿台３２の盤面には原稿２８が載置される。スキャナハウジング３６に揺動自在に連結された原稿カバー５８（図２参照）に設けられた原稿マット５６は原稿台３２に載置された原稿を原稿台３２に押さえつける。
【００１０】
キャリッジ１４は、箱形に形成され、スキャナハウジング３６の内部に収容されている。キャリッジ１４は、スキャナハウジング３６に固定されたガイドロッド３４に摺動自在に支持されている。キャリッジ１４は、図示しないモータによって駆動されるベルト６０（図２参照）に係止されている。キャリッジ１４はベルト６０の回転に伴ってガイドロッド３４の軸線方向に往復移動する。
【００１１】
キャリッジ１４の内部には、リニアイメージセンサ２０を実装した走査回路基板１８とレンズ２２とミラー１２と光源１６とが搭載されている。光源１６は原稿２８の走査線近傍を照射し、ミラー１２及びレンズ２２は照射された原稿の走査線上の反射光像をリニアイメージセンサ２０の受光面に結像させる。リニアイメージセンサ２０は、ＲＧＢ各色の受光素子が図１において紙面垂直方向に直線状に並ぶ姿勢で走査回路基板１８に搭載されている。リニアイメージセンサ２０は、受光面に結像された光学像の濃淡に相関する電気信号を出力する。走査回路基板１８には、リニアイメージセンサ２０及び光源１６を駆動する回路、ＡＤ変換回路等が実装されている。
【００１２】
プリンタハウジング５２は、上部が開口した箱形に形成され、スキャナハウジング３６の下方に位置する。プリンタハウジング５２は、スキャナハウジング３６を揺動自在に支持し、スキャナハウジング３６を上方向に揺動させることにより、プリンタハウジング５２の開口から印刷部５０を露出させることができる。プリンタハウジング５２には、処理部１１、印刷部５０及び図示しない電源部、操作部等が収容されている。スキャナハウジング３６がプリンタハウジング５２の上部開口を閉塞した状態では、プリンタハウジング５２の側壁上部とスキャナハウジング３６の側壁下部が実質的な段差なく連なる（図２参照）。プリンタハウジング５２は、内部に収容する印刷部５０等の要素をゆとりを持って収容する大きな内部空間を形成している。
【００１３】
印刷部５０は、用紙搬送部、印刷ヘッド４４、駆動部等を備えている。図示しない用紙搬送部は、給紙ローラ、排紙ローラ並びにこれらのローラを駆動する歯車列及びモータ等で構成される。印刷ヘッド４４は、ガイドロッド４８に摺動自在に支持されている。印刷ヘッド４４は、図示しない駆動部によって回転するベルトに係止されている。印刷ヘッド４４は、ベルトの回転に伴ってガイドロッド４８の軸線方向に往復移動する。印刷ヘッド４４の駆動部は、ベルトが掛け廻されたプーリ、歯車列、モータ等で構成されている。
【００１４】
印刷ヘッド４４は、例えばインクを吐出するノズル、ピエゾ素子、インク通路などを備え、インクジェット方式によりインク滴を用紙に定着させる。インクカートリッジ４２、４６は、印刷ヘッド４４に脱着自在に固定されている。インクカートリッジ４２、４６は、各色のインクが貯蔵された容器である。インクカートリッジ４２、４６に貯蔵されたインクは、インク通路を通じて印刷ヘッド４４のノズルに供給される。尚、印刷部５０は、インクジェット方式に限らず、レーザ方式等の各種の印刷方式に適合するように構成すればよい。
【００１５】
処理部１１は、走査回路基板１８から出力される信号にガンマ補正、シェーディング補正などを施して画像データを作成する。また、処理部１１は、画像データにハーフトーン処理、解像度変換処理、色空間の変換処理、インターレース処理等を施して印刷データを作成し、印刷データに基づいて印刷部５０を制御する。また、画像入出力装置３０がパーソナルコンピュータ（ＰＣ）に制御されるイメージスキャナとして機能する場合、処理部１１で作成された画像データは、図示しないインタフェースを通じてＰＣに出力される。また、画像入出力装置がＰＣに制御されるプリンタとして機能する場合、処理部１１にはＰＣからインタフェースを通じて印刷データが入力される。
【００１６】
ＦＦＣ２４の先端部は走査回路基板１８に電気的に接続されている。ＦＦＣ２４の基端部は処理部１１に電気的に接続されている。ＦＦＣ２４の大部分は、スキャナハウジング３６の内部にＵ字形の折り返し部３８を形成する姿勢で収容されている。また、スキャナハウジング３６の内部では、ＦＦＣ２４はスキャナハウジング３６の底部にほとんど接触することなく板金部材４０に接触するように、板金部材４０に沿ってＬ字形に折り曲げられている。ＦＦＣ２４は、走査回路基板１８から出力される信号を処理部１１に伝送し、処理部１１の制御信号を走査回路基板１８に伝送する。折り返し部３８は、キャリッジ１４の移動に伴って変形する。
【００１７】
図３は、スキャナハウジング３６の底部形状を示す断面図であって、（Ｂ）、（Ｃ）はそれぞれ（Ａ）のＢ−Ｂ線断面図、（Ａ）のＣ−Ｃ線断面図である。Ｌ字形の溝部５４は、キャリッジ１４の移動方向（副走査方向）と平行な方向に延びる第一部６４と、第一部６４の一端部から第一部６４に垂直な方向に延びる第二部６２とで構成されている。図１に示すように、溝部５４は、印刷ヘッド４４等と干渉しないプリンタハウジング５２の残余空間に突出している。また、第一部６４には、ＦＦＣ２４の折り返し部３８の基端部側が収容される。このため、ＦＦＣ２４と原稿台３２の接触を防止しながら画像入出力装置３０の高さを抑制することができる。第二部６２には、ＦＦＣ２４の折り返し部３８よりもさらに基端部側が収容される。このため、ＦＦＣ２４とキャリッジ１４の接触を防止しながら画像入出力装置３０の高さを抑制することができる。
【００１８】
第一部６４と反対側の第二部６２の端部には、スキャナハウジング３６の底部を貫通する開口部６６が形成されている。開口部６６にはＦＦＣ２４が挿入され、スキャナハウジング３６の内部からプリンタハウジング５２の内部にＦＦＣ２４が導かれている。
【００１９】
図４は、溝部５４に沿って設けられる板金部材４０を示す斜視図である。板金部材４０は、全体としてＬ字形に形成されている。溝部５４の第一部６４にほぼ全体が収容される主部７０は、キャリッジ１４の移動方向に角部７４、７６が延びるように二箇所でほぼ直角に折り曲げられている。２つの角部７４、７６に挟まれた垂直壁２６の高さは、溝部５４の第一部６４の中に垂直壁２６がほぼ収まるように設定されている。２つの角部７４、７６が形成されているため、主部７０は、キャリッジ１４の移動方向軸線に垂直な方向に曲げようとする力に対して剛性が高くなっている。板金部材４０には、板金部材４０をスキャナハウジング３６に固定するためのねじを挿入するねじ孔６８が複数箇所に形成されている。
【００２０】
図２は、スキャナハウジング３６に板金部材４０を固定し、原稿台３２及びキャリッジ１４を取り外した状態の画像入出力装置３０の外観を示す斜視図である。板金部材４０は、溝部５４に落とし込まれるようにしてスキャナハウジング３６の底部に複数のねじ１０で固定される。板金部材４０は、図示しない配線により電気的に接地している。
【００２１】
本実施例によると、プリンタハウジング５２の残余空間に収まる溝部５４をスキャナハウジング３６に形成し、溝部５４にＦＦＣ２４の折り返し部３８の基端部側を収めることにより、画像入出力装置３０の全体の高さを抑制しつつ、ＦＦＣ２４と原稿台３２の接触を防止している。また、曲げ加工されて角部７４、７６が長手方向に形成された板金部材４０をスキャナハウジング３６の底部に固定することにより、スキャナハウジング３６の剛性を向上させ、その結果、読み取り精度を向上させている。また、曲げ加工により形成されている板金部材４０の垂直壁２６が溝部５４にほとんど収まっているため、剛性向上に寄与する板金部材４０をスキャナハウジング３６の内部に設けていても、画像入出力装置３０の全体の高さを抑制できる。また、電気的に接地された板金部材４０にＦＦＣ２４が接触しているため、ＦＦＣ２４によって伝送される信号のＥＭＣが改善される。さらに、Ｌ字形の板金部材４０の上に板金部材４０に沿ってＬ字形にＦＦＣ２４を引き回し、板金部材４０とＦＦＣ２４との接触面積を大きくしているため、ＥＭＣを改善する効果が高い。
【００２２】
以上説明した本発明の実施例では、レンズ縮小型のリニアイメージセンサを備えた画像入出力装置について説明したが、本発明は密着型のリニアイメージセンサを備えた画像入出力装置に適用してもよい。また、上述の実施例では、板金部材を断面Ｓ字形に曲げているが、板金部材は、断面Ｌ字形に曲げてもよいし、断面Ｕ字形に曲げてもよい。
【図面の簡単な説明】
【００２３】
【図１】一実施例の画像入出力装置の内部構造を示す模式図。
【図２】一実施例の画像入出力装置の外観を示す斜視図。
【図３】（Ａ）は一実施例のスキャナハウジング３６の底部形状を示す断面図。（Ｂ）は（Ａ）のＢ−Ｂ線断面図。（Ｃ）は（Ａ）のＣ−Ｃ線断面図。
【図４】一実施例の板金部材を示す斜視図。
【符号の説明】
【００２４】
１１  処理部、１４  キャリッジ、１８  走査回路基板、２０  リニアイメージセンサ、２４  ＦＦＣ、２８  原稿、３０  画像入出力装置、３２  原稿台、３６  スキャナハウジング、３８  折り返し部、４０  板金部材、５０  印刷部、５２  プリンタハウジング、５４  溝部、７０  主部、７４、７６  角部
【図１】
2005057628.tif 000003
【図２】
2005057628.tif 000004
【図３】
2005057628.tif 000005
【図４】
2005057628.tif 000006